(57)【要約】【課題】本考案は実際に可燃物を燃焼させた標的に代わる消火器放射訓練用の標的器で、消火において重要な正しい放射位置を体得出来る。【解決手段】本考案に係わる消火器放射訓練用標的器は、適度に後方に傾いた正面パネル下部に放射水を受ける開口部が設けてあり、模擬火炎が表示されたビニールシートに向けて水を放射すると、羽根軸に当たり回転し、チェーンで連動されている模擬火炎が表示されたビニールシート巻取り軸が回転する。そのことにより、下部が固定された模擬火炎が表示されたビニールシートが下方に巻き取られる。水の放射を止めると、重りで模擬火炎が表示されたビニールシートが引き上げられ、放射前の状態に戻る。標的器下部に放射水を受ける開口部が設けてあるため、自然に火源を狙う正しい放射位置が身に付く。【選択図】図３
0003147644.tif 000002
【実用新案登録請求の範囲】
【請求項１】
水消火器で放射された水圧により、適度に角度のついた４枚以上からなる羽根で構成された軸が回転、チェーン等により連動し、模疑火炎が表示されたビニールシートが引き下げられ、まるで火炎がしだいに消えていくように見える消火訓練用標的器。
【請求項２】
正面パネル上部の滑車を通し重りが釣り下がっていることで、放射を中断したり狙う場所を間違うと、水遮断用プレートで放射水が遮断され、模疑火炎が表示されたビニールシートが引き上げられ、火炎が再び大きくなるように見える。また、次の訓練者を迎えられることを特徴とする請求項１記載の消火訓練用標的器。
【請求項３】
適度に後方に傾斜した正面パネルの下方に開口部があることにより、正しい放射位置を身につけることが出来ることを特徴とする請求項１記載の消火訓練用標的器。
【考案の詳細な説明】
【技術分野】
【０００１】
本考案は、消火器を用いて放射訓練を行う際に使用される標的器で、実際に可燃物を燃焼することなく、火炎の下部、すなわち、火炎その物ではなく、火源位置を狙うことを体得することを目的とする。
【背景技術】
【０００２】
実際に可燃物を燃やして水を放射しての訓練であった。
【０００３】
従来、この種の消火器放射訓練用標的器としては、実開平０７−０３７２１９号公報（特許文献１）に開示された標的塔が知られている。これは４本の脚の上に円盤状に成形した標的部があり、更に前記標的がホース先端部から放水される水圧により後方へ９０度倒れるように構成されている。
【０００４】
また、実用新案登録第３１２０５７０号公報（特許文献２）に開示されたフロアプレートと、フロアプレート上に植立させたポールと、ポールの上方部に取り付けられる火炎表示プレートとからなる標的器において、フロアプレートの底面には標的器の転倒時に消火が成功したことを意味する成功表示を施してなる。これにより放水が標的に当たると標的器の転倒に伴って、底面に施された成功表示が表示される標的器が知られている。
【０００５】
さらに実用新案登録第３０３６６５９号公報（特許文献３）に示すような可搬式で、赤色回転灯、模擬炎パネル、レベルセンサー、電磁弁を備えた小型水溜槽、音声合成ユニット、スピーカから構成された電源を使用したもので、電源をＯＮすることにより、赤色回転灯が始動し、模擬炎が炎上〜炎拡大し火災擬音を発すると同時に、消火手順が放送され、水消火器を使用して実際に上記模擬炎に向けて水を放射させることにより模擬消火する消火訓練自動指導システムが知られている。
【０００６】
【特許文献１】実開平０７−０３７２１９号公報
【特許文献２】実用新案登録第３１２０５７０号公報
【特許文献３】実用新案登録第３０３６６５９号公報
【考案の開示】
【考案が解決しようとする課題】
【０００７】
可燃物を燃焼し、粉末消火器等を使用し訓練を行っていたが環境問題等で、使用しにくくなってきている。
【０００８】
このために、粉末消火器等に代わる水を使用した消火器訓練用放射器が最近ではよく使われるようになってきており、特許文献１、特許文献２、特許文献３に開示されたような実火炎に変わる標的が使用されているが、実際に火炎を消すのとは違い、倒したり、回転させたりするだけである。
【課題を解決するための手段】
【０００９】
上記の課題を解決するために、請求項１に係る消火訓練用標的器は、水消火器の放射水圧により、４枚から８枚で構成された回転羽根に当たり、チェーン等で連動した、軸に模疑火炎が表示されているビニールシートが巻き取られ、消火器放射訓練用標的器に描かれた模擬火炎が下方に引き下げられ、炎が小さくなったように見えることを特徴とすることである。
【００１０】
また、請求項２に係る消火訓練用標的器は、模疑火炎が表示されてあるビニールシートは、正面パネル上部の滑車を介し、重りにより自動復旧、引き上げられ、次の訓練を迎えられることを特徴とする訓練用消火器の標的である。
【００１１】
請求項３に係る消火訓練用標的器は、正面パネルの下部に開口部があることにより、模擬火炎の下部（可燃物）を狙わないと模擬火炎は消火出来ないため、正しい放射位置を身につけることが出来る。
【考案の効果】
【００１２】
本来可燃物が燃焼する部位（正面パネル下部の開口部）に当たると模擬火炎が小さくなるため、正しい放射位置を身につけることが出来る。さらに、引き下げられた模模疑火炎が表示されたビニールシートは、重りにより引き上げられ、次の訓練者に直ちに対応出来る。
【考案を実施するための最良の形態】
【００１３】
この考案の実施形態を、図４に示す。
【００１４】
消火器放射訓練用標的器は正面パネル、模疑火炎が表示されているビニールシート、６枚から８枚の羽根からなる回転部、模疑火炎が表示されているビニールシートを巻き取る回転部、模疑火炎が表示されているビニールシートを元に戻すための重りから構成されている。
【００１５】
模疑火炎が表示されているビニールシートは厚さ約０．１ミリから０．４ミリで、表面には赤色や黄色等の火炎をイメージした模疑火炎が表示されおり、放射水が通る隙間が開いてある。正面パネルの表面は、模疑火炎が表示されているビニールシートが濡れた場合に表面張力で正面パネルに付かないように格子状の突起物が張られており、下部には水が通り抜ける開口部がある。また、さらに下部には、鍋をイメージしたイラストが施してある。水が当たる回転軸は、６枚から８枚の羽根で構成されてあり、その羽根角度は効率よく回転する角度に取り付けてある。模疑火炎が表示されているビニールシート巻取り軸は直径約３センチから５センチが望ましく、軽い重りで模疑火炎が表示されているビニールシートが元の状態に引き上げられるようになっている。羽根車軸と模疑火炎が表示されているビニールシート巻取り軸はベルト状物（Ｖベルト、ゴムベルト）、鎖状物（チェーン類）、紐状または、帯紐状物等で連動される。ビニールシート巻取り軸は特にチェーンが望ましい。引き上げるための重りは約１６０グラムから２４０グラムが望ましい。実際の粉末消火器の放射時間内（おおよそ１５秒）に模擬火炎が消火できるように調整されてある。
【実施例】
【００１６】
以下本考案に係わる消火器放射訓練用標的器の実施例を図面に基づいて詳細に説明する。
【００１７】
図１は本考案に係わる消火器放射訓練用標的器の斜視図、図２は消火器放射訓練用標的器の正面図を示す、図３は本考案の実施状態を示した斜視図、図４は消火器放射訓練用標的器の右側面図、図５は図４の拡大図である。
【００１８】
本考案に係わる消火器放射訓練用標的器は図１ないし図４に示すように、約７０度から８０度後方に傾いた正面パネル１と６枚から８枚の羽根で構成された羽根軸８と、模擬火炎が表示されたビニールシート巻取り軸１５と、模疑火炎が表示されているビニールシートを元に戻すための重りからにより構成されている。
【００１９】
羽根軸８と、模擬火炎が表示されたビニールシート巻取り軸１５は基台アングル１２に回転出来るように固定されている。
【００２０】
また、羽根軸８と、模擬火炎が表示されたビニールシート巻取り軸１５は、チェーン９で連動されている。
【００２１】
正面パネル１の表面には表面張力で模擬火炎が表示されたビニールシート４が付かないように格子状の突起物になっている。
【００２２】
模擬火炎が表示されたビニールシート４は放射された水が通過するように、さらに実際の粉末消火器の放射時間（おおよそ１５秒）に模擬火炎が表示されたビニールシートが巻かれるように調整のため、約１ミリから３ミリの隙間１７が開いている。
【００２３】
模擬火炎が表示されたビニールシート４の下部は模擬火炎が表示されたビニールシート巻取り軸１５に固定されている。
【００２４】
また、模擬火炎が表示されたビニールシート４の上部は滑車１３を通し重り１１が釣り下がっている。重り１１は重りガイド１６を上下する。
【００２５】
つぎに、本考案に係わる消火器放射訓練用標的器の使用方法について説明する。
【００２６】
水消火器を２メートルから４メートル離れたところから、模擬火炎が表示されたビニールシート４に向けて放射すると、隙間を通過、さらには、正面パネル１を通過する。
【００２７】
放射された水は羽根軸８を回し、チェーン９で連動された模擬火炎が表示されたビニールシート巻取り軸１５が回転する。そのことにより、下部が固定された模擬火炎が表示されたビニールシート４が下方に巻き取られ、模擬火炎が小さくなる。
【００２８】
水消火器の放射を止めると、重り１１で模擬火炎が表示されたビニールシート４が引き上げられ、放射前の状態に戻り次の訓練を迎えることができる。
【図面の簡単な説明】
【００２９】
【図１】消火器放射訓練用標的器の斜視図
【図２】消火器放射訓練用標的器の正面図
【図３】本考案の実施状態を示した斜視図
【図４】消火器放射訓練用標的器の右側面図
【図５】図４の拡大図
【符号の説明】
【００３０】
１  正面パネル
２  模擬火炎（赤色）
３  模擬火炎（黄色）
４  模擬火炎が表示されたビニールシート
５  天ぷら鍋のイラスト
６  入水開口部
７  水遮断用プレート
８  羽根軸
９  チェーン
１０  ギア
１１  重り
１２  基台アングル
１３  滑車
１４  ワイヤー
１５  模擬火炎が表示されたビニールシート巻取り軸
１６  重りガイド
１７  隙間
【図１】
0003147644.tif 000003
【図２】
0003147644.tif 000004
【図３】
0003147644.tif 000005
【図４】
0003147644.tif 000006
【図５】
0003147644.tif 000007
【手続補正書】
【提出日】平成20年10月28日(2008.10.28)
【手続補正１】
【補正対象書類名】実用新案登録請求の範囲
【補正対象項目名】請求項２
【補正方法】変更
【補正の内容】
【請求項２】
正面パネル上部の滑車を通し重りが釣り下がっていることで、放射を中断したり狙う場所を間違うと、正面パネルで放射水が遮断され、模疑火炎が表示されたビニールシートが引き上げられ、火炎が再び大きくなるように見える。また、次の訓練者を迎えられることを特徴とする請求項１記載の消火訓練用標的器。
【手続補正２】
【補正対象書類名】図面
【補正対象項目名】図２
【補正方法】変更
【補正の内容】
【図２】
0003147644.tif 000008
【手続補正３】
【補正対象書類名】図面
【補正対象項目名】図４
【補正方法】変更
【補正の内容】
【図４】
0003147644.tif 000009
【手続補正４】
【補正対象書類名】図面
【補正対象項目名】図５
【補正方法】変更
【補正の内容】
【図５】
0003147644.tif 000010
【手続補正書】
【提出日】平成20年11月5日(2008.11.5)
【手続補正１】
【補正対象書類名】実用新案登録請求の範囲
【補正対象項目名】請求項２
【補正方法】変更
【補正の内容】
【請求項２】
正面パネル上部の滑車を通し重りが釣り下がっていることで、放射を中断したり狙う場所を間違うと、正面パネルで放射水が遮断され、模疑火炎が表示されたビニールシートが引き上げられ、火炎が再び大きくなるように見えることを特徴とする請求項１記載の消火訓練用標的器。